(57)【要約】【課題】  樹脂パネルの強度と、予備成形体による断熱性の構造を図るとともに、表面の汚れを落ちやすくした予備成形体内装樹脂製パネルおよび予備成形体内装樹脂製パネルにより構成される折畳みコンテナを提供する。【解決手段】  予備成形体内装樹脂製パネル１は、表壁２と裏壁３を有する中空二重壁構造の樹脂製パネルである。樹脂製パネルにはその全周に溶着部を有する。中空部内４には中空部内空間と略同一形状に予め成形された熱可塑性樹脂からなる予備成形体５が内装される。予備成形体５は表壁２と裏壁３の内面に溶着されている。表壁２と裏壁３は気泡を有している。【選択図】    図１
2006205684.tif 000002
【特許請求の範囲】
【請求項１】
表壁と裏壁を有する中空二重壁構造の樹脂製パネルであって、
樹脂製パネルにはその全周に溶着部を有し、
中空部内には中空部内空間と略同一形状に予め成形された熱可塑性樹脂からなる予備成形体が内装されるとともに、
予備成形体が樹脂製パネルの表壁と裏壁の内面に溶着されており、
表壁と裏壁が気泡を有すること
を特徴とする予備成形体内装樹脂製パネル。
【請求項２】
表壁と裏壁に気泡を有する中空二重壁構造の樹脂製パネルは、予備成形体と同材質の樹脂であり、いずれかの樹脂で発泡ブロー成形して、厚さ３〜５００μｍのスキン層を形成することを特徴とする請求項１記載の予備成形体内装樹脂製パネル
【請求項３】
気泡を有する樹脂製パネルの気泡径は１００〜５００μｍであり、発泡倍率が１．１〜５．０であることを特徴とする請求項１または２記載の予備成形体内装樹脂製パネル。
【請求項４】
予備成形体は発泡体からなり、発泡倍率が１０〜５０であることを特徴とする請求項１記載の予備成形体内装樹脂製パネル。
【請求項５】
表壁と裏壁に気泡を有する中空二重壁構造の樹脂パネルは、高密度ポリエチレン（ＨＤＰＥ）と低密度ポリエチレン（ＬＤＰＥ）のブレンドに発泡剤と顔料を配合したもの、低密度ポリエチレン（ＬＤＰＥ）に発泡剤と顔料を配合したもの、ポリプロピレン（ＰＰ）のブレンドに発泡剤と顔料を配合したもののいずれかの樹脂で発泡ブロー成形したことを特徴とする請求項１記載の予備成形体内装樹脂製パネル。
【請求項６】
長鎖分岐構造を有するポリプロピレンとメルトフローレイトが１．８（ｇ／１０分）以下のポリプロピレンとからなる配合ポリプロピレン系樹脂に発泡剤を添加して発泡ブロー成形し、長鎖分岐構造を有するポリプロピレン５０重量％とメルトフローレイトが１．８（ｇ／１０分）以下のポリプロピレン５０重量％からなる配合ポリプロプレンで、引張強度は２０００〜６０００Ｋｇ／ｃｍ2であることを特徴とする請求項１ないし５のいずれかに記載の予備成形体内装樹脂製パネル。
【請求項７】
底壁の各辺に起倒自在に軸止めして連結された側壁を有し、各側壁を起立させて隣接する側壁を互いに係合してコンテナを構成する折畳みコンテナであって、
底壁の各辺に連結される側壁のうち対向する一対の側壁を、底壁の上面に接して折畳み可能であるように底壁に軸止めするとともに、
対向する他の一対の側壁を、底壁の上面に接して折畳んだ上記一対の側壁の上面に接して折畳み可能であるように、対向する他の一対の側壁と底壁との連結される折畳みコンテナの全部または一部に使用されること
を特徴とする請求項１ないし６いずれかに記載の予備成形体内装樹脂製パネルにより構成される折畳みコンテナ。
【発明の詳細な説明】
【技術分野】
【０００１】
本発明は、中空部内に中空部内空間と略同一形状に予め成形された熱可塑性樹脂からなる予備成形体が内装された中空二重壁構造の予備成形体内装樹脂製パネル、およびその予備成形体内装樹脂製パネルにより構成される折畳みコンテナに関するものである。
【背景技術】
【０００２】
従来、コンテナの樹脂パネル部分を発泡ブロー成形したものはなかった。特開２００２−１３９１９３公報は、断熱構造部材として樹脂パネルを非発泡プラスチックで構成したものを、また、実開平７−３７９８０号ＣＤ−ＲＯＭは、内面のみ非発泡シールを貼り付けてそれ以外は発泡成形したトレーを提案している。なお、特開２０００−２５８８７公報では、冷却コンテナの観音開きのドアのあわせ面に発泡プラスチックを貼り付けて密封性を良くした構成を紹介している。
【特許文献１】特開２００２−１３９１９３公報
【特許文献２】実開平７−３７９８０号ＣＤ−ＲＯＭ
【特許文献３】特開２０００−２５８８７公報
【発明の開示】
【発明が解決しようとする課題】
【０００３】
しかし、特開２００２−１３９１９３公報に記載されている断熱構造部材は、樹脂パネルが非発泡プラスチックで構成されているために全体重量が大となる問題があった。また、実開平７−３７９８０号ＣＤ−ＲＯＭに記載されている内面のみに非発泡シールを貼り付けてそれ以外は発泡成形したトレーでは、内面の汚れは落ちやすいが外面の汚れは落とし難く、リユースし難い問題があった。
【０００４】
本発明は、このような従来のものの問題点を解消しようとするものであって、樹脂パネルを発泡材とすることにより軽量化および断熱性能のアップと、中空部内に予備成形体を内装して２種類の発泡層を持つようにして樹脂パネルの強度と、予備成形体による断熱性の構造を図るとともに、表面の汚れを落ちやすくした予備成形体内装樹脂製パネルおよび予備成形体内装樹脂製パネルにより構成される折畳みコンテナを提供することを目的とするものである。
【課題を解決するための手段】
【０００５】
本発明の請求項１に係る予備成形体内装樹脂製パネルは、表壁と裏壁を有する中空二重壁構造の樹脂製パネルであって、樹脂製パネルにはその全周に溶着部を有し、中空部内には中空部内空間と略同一形状に予め成形された熱可塑性樹脂からなる予備成形体が内装されるとともに、予備成形体が樹脂製パネルの表壁と裏壁の内面に溶着されており、表壁と裏壁が気泡を有することを特徴とするものである。
【０００６】
本発明の請求項２に係る予備成形体内装樹脂製パネルは、請求項１記載の構成において、表壁と裏壁に気泡を有する中空二重壁構造の樹脂製パネルは、予備成形体と同材質の樹脂であり、いずれかの樹脂で発泡ブロー成形して、厚さ３〜５００μｍのスキン層を形成することを特徴とするものである。
【０００７】
本発明の請求項３に係る予備成形体内装樹脂製パネルは、請求項１または２記載の構成において、気泡を有する樹脂製パネルの気泡径は１００〜５００μｍであり、発泡倍率が１．１〜５．０であることを特徴とするものである。
【０００８】
本発明の請求項４に係る予備成形体内装樹脂製パネルは、請求項１記載の構成において、予備成形体は発泡体からなり、発泡倍率が１０〜５０であることを特徴とするものである。
【０００９】
本発明の請求項５に係る予備成形体内装樹脂製パネルは、請求項１記載の構成において、表壁と裏壁に気泡を有する中空二重壁構造の樹脂パネルは、高密度ポリエチレン（ＨＤＰＥ）と低密度ポリエチレン（ＬＤＰＥ）のブレンドに発泡剤と顔料を配合したもの、低密度ポリエチレン（ＬＤＰＥ）に発泡剤と顔料を配合したもの、ポリプロピレン（ＰＰ）のブレンドに発泡剤と顔料を配合したもののいずれかの樹脂で発泡ブロー成形したことを特徴とするものである。
【００１０】
本発明の請求項６に係る予備成形体内装樹脂製パネルは、請求項１ないし５のいずれかに記載の構成において、長鎖分岐構造を有するポリプロピレンとメルトフローレイトが１．８（ｇ／１０分）以下のポリプロピレンとからなる配合ポリプロピレン系樹脂に発泡剤を添加して発泡ブロー成形し、長鎖分岐構造を有するポリプロピレン５０重量％とメルトフローレイトが１．８（ｇ／１０分）以下のポリプロピレン５０重量％からなる配合ポリプロプレンで、引張強度は２０００〜６０００Ｋｇ／ｃｍ2であることを特徴とするものである。
【００１１】
本発明の請求項７に係る請求項１ないし６いずれかに記載の予備成形体内装樹脂製パネルにより構成される折畳みコンテナは、底壁の各辺に起倒自在に軸止めして連結された側壁を有し、各側壁を起立させて隣接する側壁を互いに係合してコンテナを構成する折畳みコンテナであって、底壁の各辺に連結される側壁のうち対向する一対の側壁を、底壁の上面に接して折畳み可能であるように底壁に軸止めするとともに、対向する他の一対の側壁を、底壁の上面に接して折畳んだ上記一対の側壁の上面に接して折畳み可能であるように、対向する他の一対の側壁と底壁との連結される折畳みコンテナの全部または一部に使用されることを特徴とするものである。
【発明の効果】
【００１２】
本発明によれば、樹脂パネルを発泡材とすることにより軽量化および断熱性能のアップと、中空部内に予備成形体を内装して２種類の発泡層を持つようにしたので、樹脂パネルの強度と、予備成形体による断熱性の構造を図ることができるとともに、表面の汚れを落ちやすくした予備成形体内装樹脂製パネルおよび予備成形体内装樹脂製パネルにより構成される折畳みコンテナを得ることができる。
【発明を実施するための最良の形態】
【００１３】
本発明に係る予備成形体内装樹脂製パネル１は、図１に示すように、表壁２と裏壁３を有する中空二重壁構造のものであって、樹脂製パネル１にはその全周に溶着部を有し、中空部内４には中空部内空間と略同一形状に予め成形された熱可塑性樹脂からなる予備成形体５が内装されるとともに、予備成形体５が樹脂製パネル１の表壁２と裏壁３の内面に溶着されている。表壁２と裏壁３は気泡を有する樹脂層である。
【００１４】
予備成形体内装樹脂製パネル１は、表壁２と裏壁３に気泡を有する中空二重壁構造の樹脂製パネルであるが、その材質は予備成形体５と同材質の樹脂であり、いずれかの樹脂で発泡ブロー成形して、厚さ３〜５００μｍのスキン層６，７を形成したものである。気泡を有する樹脂層である表壁２と裏壁３の気泡径は１００〜５００μｍであり、発泡倍率が１．１〜５．０である。予備成形体５の発泡倍率は１０〜５０である。
【００１５】
本発明に係る予備成形体内装樹脂製パネル１は、表壁２と裏壁３および予備成形体５がともに同材質の樹脂で構成されるが、高密度ポリエチレン（ＨＤＰＥ）と低密度ポリエチレン（ＬＤＰＥ）のブレンドに発泡剤と顔料を配合したもの、低密度ポリエチレン（ＬＤＰＥ）に発泡剤と顔料を配合したもの、ポリプロピレン（ＰＰ）のブレンドに発泡剤と顔料を配合したもののいずれかの樹脂で発泡ブロー成形されるものである。
【００１６】
そして、本発明に係る予備成形体内装樹脂製パネル１は、長鎖分岐構造を有するポリプロピレンとメルトフローレイトが１．８（ｇ／１０分）以下のポリプロピレンとからなる配合ポリプロピレン系樹脂に発泡剤を添加して発泡ブロー成形し、長鎖分岐構造を有するポリプロピレン５０重量％とメルトフローレイトが１．８（ｇ／１０分）以下のポリプロピレン５０重量％からなる配合ポリプロプレンで、引張強度は２０００〜６０００Ｋｇ／ｃｍ2であるのが好適である。
【００１７】
図２ないし図５には、本発明に係る予備成形体内装樹脂製パネル１により構成された折畳みコンテナ８が例示されている。図２ないし図５に示すように、折畳みコンテナ８は、底壁９に対して四面の側壁１０が起倒自在に軸止めにより取り付けられており、互いに隣接する側壁１０はラッチ１１によって係脱自在に連結されている。さらに折畳みコンテナ８は、一対の側壁１０ａ，１０ａを底壁９の裏壁３に折り畳み、かつ他方の一対の側壁１０ｂ，１０ｂ、を折り畳んだ一対の側壁１０ａ，１０ａの上に重ねて折り畳むように構成される。
【００１８】
本発明に係る折畳みコンテナは上記の構成に限らず、底壁と側壁を互いに薄肉状のヒンジを介して一体に連結した構成とすることも可能である。薄肉状のヒンジにより構成するものにあっては底壁および側壁を重ねて折り畳むことなく外方に展開状として外開きとすることができる。
【００１９】
本発明に係る折畳みコンテナは、その全壁を予備成形体内装樹脂製パネルで構成するのが好ましいが、その一部壁を予備成形体内装樹脂製パネルで構成することも可能である。また、折畳みコンテナにおいて、底壁に剛性が必要な場合には、底壁を射出製パネルで構成するのがよい。
【図面の簡単な説明】
【００２０】
【図１】本発明に係る予備成形体内装樹脂製パネルの一部を示す断面図である。
【図２】本発明に係る折畳みコンテナの全体斜視図である。
【図３】同上一対の側壁を折り畳む過程を示す全体斜視図である。
【図４】図３の状態から一対の側壁を折り畳んだ態様を示す全体斜視図である。
【図５】図４のＡ−Ａ断面図である。
【符号の説明】
【００２１】
１  予備成形体内装樹脂製パネル
２  表壁
３  裏壁
４  中空部
５  予備成形体
６，７  スキン層
８  折畳みコンテナ
９  底壁
１０  側壁
１０ａ，１０ａ  一対の側壁
１０ｂ，１０ｂ  他の一対の側壁
１１  ラッチ
【図１】
2006205684.tif 000003
【図２】
2006205684.tif 000004
【図３】
2006205684.tif 000005
【図４】
2006205684.tif 000006
【図５】
2006205684.tif 000007